(57)【特許請求の範囲】
【請求項１】
電気的に接続されているパネル型の適数のＬＥＤ照明モジュールが装着固定される固定架台プレートと、ＬＥＤ照明モジュールにおける照射面側の側面が少なくとも透光性がある筒状で、ＬＥＤ照明モジュールを覆って固定架台プレートを内装させている収納筐体と、前記固定架台プレートの背部に配される電源と、固定架台プレート、電源を収納筐体の端部内で連結支持する連結固定体と、この連結固定体に連結固定させて収納筐体の端部開口を閉塞固定する筐体キャップとから成る照明支持体とし、前記固定架台プレートは、ＬＥＤ照明モジュールを載置固定する長尺状の基板の上面に、照明光量の大小に対応して並列状にして組み合わせられる所定数のＬＥＤ照明モジュールを載置固定するように複数条の区画壁片相互間で設けると共に、基板の下面両側に、収納筐体の内側面に当接するよう彎曲している当接支持片を形成すると共に、収納筐体の端部内に装着される連結固定体にネジ止めさせるネジ孔条溝を設けて成ることを特徴とする照明装置。
【請求項２】
収納筐体は、内装する固定架台プレート、電源を収納するに足りる所定径の円筒状に形成してある請求項１に記載の照明装置。
【請求項３】
連結固定体は、収納筐体の端部内に嵌め入れられていて、収納筐体の端部内に嵌め入れられたときの収納筐体の内方側である前部は固定架台プレートに、収納筐体の端部開口側である後部は筐体キャップにそれぞれネジ止めされるようにしてあると共に、前部には、前記電源を収納支持する電源ケース体の連結筒部に強制的に嵌め入れられる連結突起を立脚状に設けて成る請求項１または２に記載の照明装置。
【請求項４】
前記筐体キャップは、所定数で連結されるときの一方端に配置される筐体キャップには、商用電源側に接続されるケーブル連結部を設け、他方端に配置される筐体キャップにはスイッチを設けて成る請求項１乃至３のいずれかに記載の照明装置。
【請求項５】
前記照明支持体は、単独で設置されたり、必要数となるように電源接続ユニットによって接続することで所定数で連結設置されたりして成る請求項１乃至３のいずれかに記載の照明装置。
【請求項６】
電気的に接続されているパネル型の適数のＬＥＤ照明モジュールが装着固定される長尺筒状の固定架台プレートと、ＬＥＤ照明モジュールにおける照射面側の側面が少なくとも透光性がある長尺溝状で、ＬＥＤ照明モジュールを覆って固定架台プレートに連結されるカバー体と、固定架台プレートの内部に配される電源と、カバー体、電源を固定架台プレートの端部で連結支持し、固定架台プレート、カバー体それぞれの端部開口を閉塞すると共に、電源接続手段、スイッチ部材が装着される端部体と、この端部体に装着される電源接続手段、スイッチ部材を覆って端部体に連結される端部キャップとから成る照明支持体とし、前記固定架台プレートは、正面側である基板、上下に位置決め配される上下側面側である両側板、背面側である背側板の一体形成によって断面でほぼ矩形状を呈し、基板の上面に、照明光量の大小に対応して並列状にして組み合わせられる所定数のＬＥＤ照明モジュールを載置固定するように複数条の区画壁片相互間で設け、背側板の上下部の内側には、自立スタンドの取付アーム台にネジ止めさせるナット材が挿入固定されるナット収納溝を形成し、固定架台プレートの端部開口、カバー体の端部開口を共に閉塞する端部体をネジ止めさせるねじ孔条溝を設けて成ることを特徴とする照明装置。
【請求項７】
カバー体は、固定架台プレート上に装着固定されたＬＥＤ照明モジュールにおける照射面側の側面が少なくとも透光性を有してＬＥＤ照明モジュールを覆って固定架台プレートに係止させる係止手段によって、固定架台プレートを覆った状態で固定架台プレートに固定連結されて成る請求項６に記載の照明装置。
【請求項８】
端部体は、カバー体の端部開口部分を覆うカバー体覆い部、背面側は固定架台プレートの端部開口部分を覆うプレート覆い部を備えると共に、外側面の上下部縁には連繋片を、背面縁には基部片を突設し、連繋片には、電源に接続される商用電源からの電源ケーブルが挿通接続されるようにしてある電源接続手段が設けられ、基部片には、ＬＥＤ照明モジュールの点灯をＯＮ-ＯＦＦさせるスイッチ部材が配装固定されるようにして成る請求項６または７に記載の照明装置。
【請求項９】
端部キャップは、連繋片、基部片それぞれに嵌る窪みが側壁に切欠形成されている凹部状のキャップ本体に、照明支持体自体の背面側に延びるようにしたグリップを設けて成る請求項６乃至８のいずれかに記載の照明装置。
【請求項１０】
前記照明支持体は、移動可能にしてある脚体と、この脚体上に立設される支柱体と、支柱体に沿って上下動自在にして支柱体にネジ止め固定される固定部を後端に有し、照明支持体の背部をネジ止め連結する揺動自在な取付アーム台を前端に有する支持アーム体とを備えて成る自立スタンドによって、適数で取付設置して成る請求項６乃至９のいずれかに記載の照明装置。
【発明の詳細な説明】
【技術分野】
【０００１】
本発明は、例えば自動車修理・整備工場その他におけるスポット的な照明に使用するのに好適で、照射範囲の広狭・大小等に対応して照明源大きさが異なるものとして予め提供用意されるとき、これに対応して照明源大きさを簡単に変更調整して製作できるようにした照明装置に関する。
【背景技術】
【０００２】
従来から、工場その他における作業箇所、作業対象部位等の特定箇所をスポット的に照明するスタンド式照明装置が提案されており、例えば特許文献１に示される組立式スタンド装置がある。この組立式スタンド装置は、パイプ材、スタンドベース、支柱固定プレート等の支持部材から成り、これによって組み立てられる支柱部に適当長さ・大きさの所定の蛍光管から成る照明体を取り付けることで照明装置としている。
【先行技術文献】
【特許文献】
【０００３】
【特許文献１】特許第４５２６５５１号公報
【発明の概要】
【発明が解決しようとする課題】
【０００４】
この従来の照明装置では、照明すべき箇所・部位等の広狭その他に対応して照明源として蛍光管、白熱灯等を適宜に組み合わせることで照明体としている。ただ、これらの蛍光管、白熱灯等はその光量によってそれ自体に大小があるから、これらの照明源を支持する筐体等もその大小に対応してそれぞれ独自に別構造のものとして構成される必要があり、その結果、支持部材等は互いに互換性がないものとなり、他の照明源の支持に適用・応用できるような汎用性がない。
【０００５】
そこで本発明は叙上のような従来存した諸事情に鑑み創出されたもので、その目的は、照明源として定型状であるパネル型のＬＥＤ照明モジュールを所定数で組み合わせることで必要とする光量となるよう設定でき、またＬＥＤ照明モジュール自体はこれを固定載置する固定架台プレートに電気的接続を維持した状態で単列あるいは複列の所定数で配列構成することにより、構造的な単純化によって汎用性ある組立構成を実現できるようにした照明装置を提供することにある。
【課題を解決するための手段】
【０００６】
上述した課題を解決するため、本発明にあっては、その第一は、電気的に接続されているパネル型の適数のＬＥＤ照明モジュール１が装着固定される固定架台プレート１１と、ＬＥＤ照明モジュール１における照射面側の側面が少なくとも透光性がある筒状で、ＬＥＤ照明モジュール１を覆って固定架台プレート１１を内装させている収納筐体１６と、前記固定架台プレート１１の背部に配される電源１７と、固定架台プレート１１、電源１７を収納筐体１６の端部内で連結支持する連結固定体２１と、この連結固定体２１に連結固定させて収納筐体１６の端部開口を閉塞固定する筐体キャップ２６，３１とから成る照明支持体１０としたことを特徴とする。
固定架台プレート１１は、ＬＥＤ照明モジュール１を載置固定する長尺状の基板１２の上面に、照明光量の大小に対応して直列状、並列状にして組み合わせられる所定数のＬＥＤ照明モジュール１を載置固定するように複数条の区画壁片１３を設けると共に、基板１２の下面両側に、収納筐体１６の内側面に当接するよう彎曲している当接支持片１４を形成すると共に、収納筐体１６の端部内に装着される連結固定体２１にネジ止めさせるネジ孔条溝１５を設けて構成することができる。
収納筐体１６は、内装する固定架台プレート１１、電源１７を収納するに足りる所定径の円筒状に形成することができる。
連結固定体２１は、収納筐体１６の端部内に嵌め入れられていて、収納筐体１６の端部内に嵌め入れられたときの収納筐体１６の内方側である前部は固定架台プレート１１に、収納筐体１６の端部開口側である後部は筐体キャップ２６にそれぞれネジ止めされるようにしてあると共に、前部には、前記電源１７を収納支持する電源ケース体１８の連結筒部１９に強制的に嵌め入れられる連結突起２５を立脚状に設けて構成することができる。
前記筐体キャップ２６，３１は、所定数で連結されるときの一方端に配置される筐体キャップ２６には、商用電源側に接続されるケーブル連結部２７を設け、他方端に配置される筐体キャップ３１にはスイッチ３２を設けて構成することができる。
照明支持体１０は、単独で設置されたり、必要数となるように電源接続ユニット３３によって接続することで所定数で連結設置されたりして構成することができる。
また、その第二は、電気的に接続されているパネル型の適数のＬＥＤ照明モジュール１が装着固定される長尺筒状の固定架台プレート４１と、ＬＥＤ照明モジュール１における照射面側の側面が少なくとも透光性がある長尺溝状で、ＬＥＤ照明モジュール１を覆って固定架台プレート４１に連結されるカバー体４８と、固定架台プレート４１の内部に配される電源５１と、カバー体４８、電源５１を固定架台プレート４１の端部で連結支持し、固定架台プレート４１、カバー体４８それぞれの端部開口を閉塞すると共に、電源接続手段６１、スイッチ部材６２が装着される端部体５５と、この端部体５５に装着される電源接続手段６１、スイッチ部材６２を覆って端部体５５に連結される端部キャップ６５とから成る照明支持体４０としたことを特徴とする。
固定架台プレート４１は、正面側である基板４２、上下に位置決め配される上下側面側である両側板４４、背面側である背側板４５の一体形成によって断面でほぼ矩形状を呈し、基板４２の上面に、照明光量の大小に対応して直列状、並列状にして組み合わせられる所定数のＬＥＤ照明モジュール１を載置固定するように複数条の区画壁片４３を設け、背側板４５の上下部の内側には、自立スタンド７０の取付アーム台７５にネジ止めさせるナット材が挿入固定されるナット収納溝４６を形成し、固定架台プレート４１の端部開口、カバー体４８の端部開口を共に閉塞する端部体５５をネジ止めさせるねじ孔条溝４７を設けて構成することができる。
カバー体４８は、固定架台プレート４１上に装着固定されたＬＥＤ照明モジュール１における照射面側の側面が少なくとも透光性を有してＬＥＤ照明モジュール１を覆って固定架台プレート４１に係止させる係止手段４９によって、固定架台プレート４１を覆った状態で固定架台プレート４１に固定連結されることで構成することができる。
端部体５５は、カバー体４８の端部開口部分を覆うカバー体覆い部、背面側は固定架台プレート４１の端部開口部分を覆うプレート覆い部を備えると共に、外側面の上下部縁には連繋片５７を、背面縁には基部片５８を突設し、連繋片５７には、電源５１に接続される商用電源からの電源ケーブルが挿通接続されるようにしてある電源接続手段６１が設けられ、基部片５８には、ＬＥＤ照明モジュール１の点灯をＯＮ-ＯＦＦさせるスイッチ部材６２が配装固定されるようにして構成することができる。
端部キャップ６５は、連繋片５７、基部片５８それぞれに嵌る窪み６７が側壁に切欠形成されている凹部状のキャップ本体６６に、照明支持体４０自体の背面側に延びるようにしたグリップ６７を設けて構成することができる。
照明支持体４０は、移動可能にしてある脚体７１と、この脚体７１上に立設される支柱体７２と、支柱体７２に沿って上下動自在にして支柱体７２にネジ止め固定される固定部７４を後端に有し、照明支持体４０の背部をネジ止め連結する揺動自在な取付アーム台７５を前端に有する支持アーム体７３とを備えて成る自立スタンド７０によって、適数で取付設置して構成することができる。
【０００７】
以上のように構成された本発明に係る照明装置にあって、収納筐体１６によって覆われる固定架台プレート１１、カバー体４８によって覆われる固定架台プレート４１それぞれにはパネル型の適数のＬＥＤ照明モジュール１が装着固定されることにより、電気的に接続される所定数のＬＥＤ照明モジュール１が必要とする大小の光量に対応した照明装置を簡単、容易に実現させる。
固定架台プレート１１，４１における区画壁片１３，４３は、装着固定されるＬＥＤ照明モジュール１を単列状あるいは複列状に配置するＬＥＤ照明モジュール１それぞれを固定架台プレート１１，４１上で確実に支持固定させる。
収納筐体１６は、固定架台プレート１１上のＬＥＤ照明モジュール１を電源１７と合わせて外部からの衝撃その他から保護する同時に、その透光性部分によってＬＥＤ照明モジュール１の外部への照射を阻害せず、照明装置としての十分な光量を発揮させる。
連結固定体２１、筐体キャップ２６，３１は、固定架台プレート１１、電源１７、収納筐体１６等をネジ止め固定し、収納筐体１６内での固定架台プレート１１、電源１７のがたつきその他を防止し、また、スイッチ３２によってＯＮ−ＯＦＦ操作させ、ケーブル連結部２７によって所定数で連結設置させる。
また、固定架台プレート４１に係止手段４９を介して係止されるカバー体４８は、固定架台プレート４１上のＬＥＤ照明モジュール１を外部からの衝撃その他から保護する同時に、その透光性部分によってＬＥＤ照明モジュール１の外部への照射を阻害せず、照明装置としての十分な光量を発揮させる。
長尺筒状の固定架台プレート４１の端部は、カバー体４８の端部と合わせて端部体５５にてネジ止め固定して覆われることで、固定架台プレート４１に装着固定したＬＥＤ照明モジュール１はもとより固定架台プレート４１内部に配した電源５１等をも固定架台プレート４１と共に固定支持される。
端部体５５は、カバー体４８、固定架台プレート４１それぞれの端部開口を覆い、連繋片５７に設けられる電源接続手段６１は、照明支持体４０自体が多数で取り付けられるときの電気的接続を確保し、基部片５８に配装固定されるスイッチ部材６２は、照明支持体４０におけるＬＥＤ照明モジュール１の点灯をＯＮ-ＯＦＦさせる。
固定架台プレート４１におけるナット収納溝４６は、照明支持体４０自体を自立式に支持するようにした自立スタンド７０における取付アーム台７５とネジ止めさせるナット材を挿入固定させ、取付アーム台７５の例えば上下方向に沿う配列と共に複数の照明支持体４０の設置を可能にさせる。
【発明の効果】
【０００８】
本発明は以上説明したように構成されているため、定型状であるパネル型のＬＥＤ照明モジュール１を所定数で組み合わせることで必要とする光量となるよう設定でき、またＬＥＤ照明モジュール１自体は、電気的接続を維持した状態で固定載置されるように固定架台プレート１１，４１に単列あるいは複列の所定数で配列構成することによって、線状、面状の照明源として構成でき、しかも、構造的な単純化によって汎用性ある組立構成を実現できる。
【０００９】
すなわち、これは本発明において、その第一は、所定数のＬＥＤ照明モジュール１が装着固定される固定架台プレート１１と、ＬＥＤ照明モジュール１における外部への照射を可能にしてＬＥＤ照明モジュール１を覆い、固定架台プレート１１を内装させる収納筐体１６と、電源１７と、固定架台プレート１１、電源１７を連結支持する連結固定体２１と、この連結固定体２１に連結固定させて収納筐体１６の端部開口を閉塞固定する筐体キャップ２６，３１とから照明支持体１０を構成したからである。また、その第二は、所定数のＬＥＤ照明モジュール１が装着固定される固定架台プレート４１と、ＬＥＤ照明モジュール１における外部への照射を可能にしてＬＥＤ照明モジュール１を覆い、固定架台プレート４１に連結されるカバー体４８と、電源５１と、カバー体４８、電源５１を連結支持し、固定架台プレート４１、カバー体４８それぞれの端部開口を閉塞すると共に、電源接続手段６１、スイッチ部材６２が装着される端部体５５と、この端部体５５に装着される電源接続手段６１、スイッチ部材６２を覆って端部体５５に連結される端部キャップ６５とから照明支持体４０を構成したからである。
【００１０】
また、固定架台プレート１１，４１に区画壁片１３，４３を設けてあるから、これらの区画壁片１３，４３相互間にＬＥＤ照明モジュール１を配置固定することによって、装着固定されるＬＥＤ照明モジュール１を単列状あるいは複列状にがたつかせずに確実にＬＥＤ照明モジュール１を固定架台プレート１１，４１上で支持固定できる。
【００１１】
収納筐体１６は、ＬＥＤ照明モジュール１、電源１７それぞれを固定している固定架台プレート１１を内装させた状態で固定架台プレート１１を支持しているから、ＬＥＤ照明モジュール１、電源１７等を外部からの衝撃その他から保護すると同時に、その透光性部分によってＬＥＤ照明モジュール１の外部への照射を何ら阻害せず、照明装置として必要とされる周囲を照射させる光量を十分に発揮させることができる。
【００１２】
連結固定体２１、筐体キャップ２６，３１は、収納筐体１６内に配置される固定架台プレート１１、電源１７等を収納筐体１６と共にネジ止め固定し、収納筐体１６内での固定架台プレート１１、電源１７のがたつきその他を防止するばかりでなく、筐体キャップ３１に設けたスイッチ３２によってＬＥＤ照明モジュール１の点灯をＯＮ−ＯＦＦ操作でき、また、筐体キャップ２６に設けたケーブル連結部２７によって所定数の照明支持体１０を連続させて連結設置できる。
【００１３】
また、長尺筒状の固定架台プレート４１に係止手段４９を介してカバー体４８が係止されるようにしてあるから、固定架台プレート４１上に固定装着されているＬＥＤ照明モジュール１を外部への照射を可能にして覆い、しかもＬＥＤ照明モジュール１を外部からの衝撃その他から保護できる。カバー体４８における透光性部分は、所定数で配置してあるＬＥＤ照明モジュール１の外部への照射を阻害せず、所定数で配置してあるＬＥＤ照明モジュール１によって照明装置としての十分な光量を発揮させることができる。
【００１４】
長尺筒状の固定架台プレート４１の端部は、カバー体４８の端部と合わせて端部体５５にてネジ止め固定して覆われることで、ＬＥＤ照明モジュール１はもとより固定架台プレート４１内部に配した電源５１等をも固定架台プレート４１と共に固定支持することができる。
【００１５】
端部体５５は、カバー体覆い部によってカバー体４８の端部開口部分を、プレート覆い部によって固定架台プレート４１の端部開口部分をそれぞれ覆うようにしてあり、また、連繋片５７に電源接続手段６１を設けてあるから、照明支持体４０自体が多数で取り付けられるときの電気的接続を確保でき、基部片５８にスイッチ部材６２を配装固定してあるから、照明支持体４０におけるＬＥＤ照明モジュール１の点灯をＯＮ-ＯＦＦ操作することができる。
【００１６】
固定架台プレート４１は、基板４２、両側板４４、背側板４５の一体形成によって断面でほぼ矩形状を呈しているから、この固定架台プレート４１の内部に配した電源５１を確実に安定的に支持でき、背側板４５にはナット収納溝４６を設けてあるから、このナット収納溝４６に挿入固定したナット材に、例えば自立スタンド７０における取付アーム台７５にネジ止めさせることができる。しかも、取付アーム台７５が自立スタンド７０に例えば上下方向に沿ってで複数にして配設されるとき、複数の照明支持体４０を上下方向に多数にして配列構成させての設置形態とすることができる。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明における第１の実施の形態を示す一部の拡大図を含む分解斜視図である。
【図２】同じくＬＥＤ照明モジュールを単列配置した場合の要部断面図である。
【図３】同じくＬＥＤ照明モジュールを複列配置した場合の要部断面図である。
【図４】同じく端部における筐体キャップ部分の切欠斜視図である。
【図５】同じく端部における筐体キャップ部分の一部切欠分解斜視図である。
【図６】同じく単灯式とした場合の斜視図である。
【図７】同じく連結式とした場合の斜視図である。
【図８】本発明における第２の実施の形態を示し、自立スタンドによって照明装置とした場合の斜視図である。
【図９】同じく一部の拡大図を含む端部キャップを分解した照明支持体の斜視図である。
【図１０】同じくこの照明支持体の要部断面図である。
【図１１】同じくこの照明支持体の背面図である。
【図１２】同じく照明支持体を上下に配置した場合の要部の背面斜視図である。
【発明を実施するための形態】
【００１９】
以下、図面を参照して本発明を実施するための一形態を説明すると、図において示される符号１は照明源としてのパネル型のＬＥＤ照明モジュールであり、このＬＥＤ照明モジュール１は、基板上に搭載されているＬＥＤ素子２を点灯させるように所定の電源に、ＬＥＤ照明モジュール１自体に設けられているコネクター３によって直接にあるいは他のＬＥＤ照明モジュール１を介して接続導電されて、通電されることで点灯されるようになっている。なお、ＬＥＤ素子２は、基板上に所定間隔毎に配列されている例えば矩形状に形成されているスポット状の点状配列としてあるも、あるいは所定長さの長尺状に形成されている帯状配列としてあるも、いずれも任意である。また、コネクター３は、リード線を介したり、直接的に相互に嵌め合わせられる例えば雌雄部構造となって嵌合されるものとしたりすることで、電気的に接続されるようにしてある。
【００２０】
このＬＥＤ照明モジュール１は、筒状に形成されている筐体状の照明支持体１０内に収納固定されることでいわば棒体状・スティック状の照明装置として構成され、照明支持体１０に付設されるスイッチ類、接続端子・ケーブル等によって１本単独による単灯式、複数本の組合せによる複灯式、更には作業者等によって携帯できる携帯式、作業床面等で自立されるスタンド式、壁面等に固定される固定式等とすることによって設置使用されるようにしてある。
【００２１】
図１乃至図７に示される第１の実施の形態における照明支持体１０は、適数の前記ＬＥＤ照明モジュール１が装着固定される固定架台プレート１１と、ＬＥＤ照明モジュール１における照射面側の側面が少なくとも透光性がある筒状で、ＬＥＤ照明モジュール１を覆って固定架台プレート１１を内装させている収納筐体１６と、前記固定架台プレート１１の背部に配される電源１７と、固定架台プレート１１、電源１７を収納筐体１６の端部内で連結支持する連結固定体２１と、この連結固定体２１に連結固定させて収納筐体１６の端部開口を閉塞固定する筐体キャップ２６，３１とから成る。
【００２２】
固定架台プレート１１は、ＬＥＤ照明モジュール１を載置固定する長尺状の基板１２の上面に、照明光量の大小に対応して直列状、並列状にして組み合わせられる所定数のＬＥＤ照明モジュール１を載置固定するように複数条の区画壁片１３を設けてある。すなわち、ＬＥＤ照明モジュール１を単列配設する場合には両側で（図２参照）、あるいは複数列で配設する場合の列毎に区画する３個以上の複数にして（図３参照）配列される区画壁片１３を突条状に形成すると共に、基板１２の下面両側に、収納筐体１６の内側面に当接するよう彎曲している当接支持片１４を形成して成る。また、小光量とするときのＬＥＤ照明モジュール１が単独で収納される場合、あるいは大光量とするときの複数で連結されて収納される場合に対応して、連続配置の単列状あるいは並行配置の複列状にして載置固定されるＬＥＤ照明モジュール１の数に対応した長さ・幅員に設定され、例えばアルミニウムを素材として形成されている。また、図２に示すように、基板１２、当接支持片１４の両者の連結部位内側には、収納筐体１６の端部内に装着される連結固定体２１からねじ込まれることで固定架台プレート１１自体を連結固定体２１と連結固定させるネジ孔条溝１５を設けてある。
【００２３】
なお、図２においては、ＬＥＤ照明モジュール１を単列配置する固定架台プレート１１構造による場合を示しており、図３においては、ＬＥＤ照明モジュール１を複列配置する固定架台プレート１１構造による場合を示している。もとより、ＬＥＤ照明モジュール１の３列以上に配置することも可能であり、固定架台プレート１１の幅員、区画壁片１３の数、電源ケース体１８の固定数等を増加させ、また収納筐体１６を拡大構成することで対応できる。
【００２４】
収納筐体１６は、内装する固定架台プレート１１、電源１７等を収納するに足りる所定径の円筒状に、例えば透明なアクリル樹脂によって形成されている。また、この収納筐体１６自体は、内装させる固定架台プレート１１、電源１７等の大小、長短、幅員の相違等に対応して、その径、長さ更には周壁の肉厚その他が予め設定される。
【００２５】
電源１７は、固定架台プレート１１における基板１２の下面側に位置させて収納筐体１６内に収納保持されるよう、例えば所定長さに設定された長尺な直方体状に形成されていて、商用電源を整流させてＬＥＤ照明モジュール１に所定の電流を供給させるようにしている。必要あれば充電機能も備えるようにしておくことも可能である。
【００２６】
この電源１７は、図２あるいは図３に示すように、固定架台プレート１１の下面に形成されている対峙状の突部分相互間で固定支持される断面溝形状の電源ケース体１８内に支持、格納されていることで、がたつくことなくしっかりと保持されるようにしてある。また、電源ケース体１８における端部側には、連結固定体２１における後述の連結突起２５が嵌め入れられる連結筒部１９が設けられている。
【００２７】
連結固定体２１は、収納筐体１６の端部内に、収納筐体１６の内周面に外周面が当接状となって嵌め入れられる例えば円筒状に形成されている（図４、図５参照）。そして、この連結固定体２１において、収納筐体１６の端部内に嵌め入れられたときの収納筐体１６の内方側である前部には、固定架台プレート１１における前記ネジ孔条溝１５内にねじ込まれる連結ネジ２２が挿通される複数のネジ挿通孔２３を開穿形成してあり、収納筐体１６の端部開口側である後部には、筐体キャップ２６の外方から挿通されたキャップ固定ネジ２８がねじ込まれる複数の連結孔条２４を形成してある。また、この連結固定体２１における前部には、電源ケース体１８の連結筒部１９に強制的に嵌め入れられる割りピン状の連結突起２５が立脚状に設けられている。
【００２８】
筐体キャップ２６は、収納筐体１６の外周面に内周面が当接状となって、ほぼ水密状に嵌め合わせられる例えば円筒状に形成されていて、後部には所定の電源ケーブルを挿通固定するケーブル連結部２７を設けてあり（図４、図５参照）、収納筐体１６の端部において電源１７に接続させている。この筐体キャップ２６の後部には、後部外方から連結固定体２１にねじ込まれるキャップ固定ネジ２８を挿通させる複数のネジ挿通孔２９を開穿形成してあって、このキャップ固定ネジ２８のねじ込みによって筐体キャップ２６自体は連結固定体２１にネジ止めされ、固定架台プレート１１、電源１７等を収納筐体１６内でがたつくことなく固定支持している。
【００２９】
また、図中符号３１は、スイッチ付き筐体キャップであり、このスイッチ付き筐体キャップ３１は、収納筐体１６における端部開口の他方に被せられて収納筐体１６をほぼ水密的に閉塞すると共に、前記筐体キャップ２６によって供給される商用電源のＯＮ−ＯＦＦを操作する例えばトグル式のスイッチ３２が設けられている。同じく符号３３は、図７に示すように照明支持体１０自体を電源ケーブルによって接続することで多灯構成とする場合のプラグ・コンセント等の接続端子を備えた電源接続ユニットであり、接続端子の着脱・接続によって所定数の多灯連結による照明装置として構成することができる。
【００３０】
このように適数のＬＥＤ照明モジュール１が収納筐体１６に収納配置されることで円筒状に構成された照明支持体１０は、例えば図６に示すように１灯単独態様で構成される場合には、収納筐体１６の端部開口の一方は筐体キャップ２６を被せて閉塞し、この筐体キャップ２６のケーブル連結部２７に電源ケーブルを連結すると共に、端部開口の他方は例えばスイッチ付き筐体キャップ３１によって閉塞する。また、図７に示すように多灯連結態様で構成される場合には、必要な所定数となるように電源接続ユニット３３によって接続すると共に、所定数で連結されるときの一方端に配置される照明支持体１０には筐体キャップ２６のケーブル連結部２７によって商用電源側に接続し、他方端に配置される照明支持体１０にはスイッチ付き筐体キャップ３１を設ける。
【００３１】
なお、このような照明支持体１０は、例えば照明を要する各種作業に際しての作業者が手持ちによって携帯されたり、また例えばΩ型の取付部材、フック部材等を介して天井面、壁面等に配設されたりする。
【００３２】
次に図８乃至図１２に示される第２の実施の形態における照明支持体４０を説明すると、この照明支持体４０は、図示のように自立スタンド７０として構成されるように、自立スタンド７０自体に設けられている支柱体７２に直接あるいは間接的に連結される取付アーム台７５に取付可能なように構成されている。
【００３３】
すなわち、この照明支持体４０は、ＬＥＤ照明モジュール１が装着固定される長尺筒状の固定架台プレート４１と、ＬＥＤ照明モジュール１における照射面側の側面が少なくとも透光性がある長尺溝状で、ＬＥＤ照明モジュール１を覆って固定架台プレート４１に連結されるカバー体４８と、固定架台プレート４１の内部に配される電源５１と、カバー体４８、電源５１を固定架台プレート４１の端部で連結支持し、固定架台プレート４１、カバー体４８それぞれの端部開口を閉塞すると共に、電源接続手段６１、スイッチ部材６２が装着される端部体５５と、この端部体５５に装着される電源接続手段６１、スイッチ部材６２を覆って端部体５５に連結される端部キャップ６５とから成る。
【００３４】
固定架台プレート４１は、図示のように例えばアルミニウムを素材として長尺角筒状に形成されており、正面側である基板４２、上下に位置決め配される上下側面側である両側板４４、背面側である背側板４５の一体形成によって断面でほぼ矩形状を呈しており、また、電源５１等を収納するに足りる容積を有している。そして、基板４２の上面に、照明光量の大小に対応して直列状、並列状にして組み合わせられるＬＥＤ照明モジュール１の数を載置固定するように複数条の区画壁片４３を設けてある。背側板４５の上下部の内側には、前記取付アーム台７５（追って詳述する）にネジ止めさせるナット材が挿入固定されるナット収納溝４６を形成し、固定架台プレート４１の端部開口、カバー体４８の端部開口等を共に閉塞する端部体５５をネジ止めさせるねじ孔条溝４７が例えばナット収納溝４６の外側面に位置させて固定架台プレート４１自体内に設けてある。
【００３５】
カバー体４８は、固定架台プレート４１上に装着固定されたＬＥＤ照明モジュール１における照射面側の側面が少なくとも透光性を有してＬＥＤ照明モジュール１を覆うように、例えば断面においてやや扁平の半円形状の円弧部を有する例えばアクリル樹脂にて形成されていて、開口縁に形成したリップ縁を固定架台プレート４１における基板４２の上下両側部に形成してある係止溝内に嵌め入れる係止手段４９によって、固定架台プレート４１を覆った状態で固定架台プレート４１に固定連結される。なお、固定架台プレート４１上に装着配置したＬＥＤ照明モジュール１を覆うカバー体４８の彎曲部分は、透光性あるよう例えば透明になっており、十分な照射光が照射されるようにしてある。
【００３６】
電源５１は、第１の実施の形態における電源１７と同様に構成され、同様な電源ケース体５２によって固定架台プレート４１における基板４２の背面に支持されることで、固定架台プレート４１内に格納されるようになっている。
【００３７】
端部体５５は、図９、図１０に示すように、内側面の正面側にはカバー体４８における円弧部を挟み込む挟持部５６が形成されていて、カバー体４８の端部開口部分をほぼ水密的に覆うようにしたほぼ半円形状のカバー体覆い部、背面側は固定架台プレート４１の端部開口部分をほぼ水密的に覆うほぼ矩形状のプレート覆い部を備えると共に、外側面の上下部縁には連繋片５７を、背面縁には基部片５８を突設して成る。挟持部５６は、カバー体４８の肉厚相当分で間隙が形成されている。連繋片５７は、図９に示すように電源５１に接続される商用電源からの電源ケーブルが挿通接続され、あるいは図１２に示すように照明支持体４０が複数で構成されるときの相互間で電気的に接続させる接続ケーブルが挿通接続されるようにしてあって、これらを接続させる電源接続手段６１が端部体５５に設けられる。この電源接続手段６１は、例えばコネクターであったり、直接的に結線されるものであったりし（いずれも図示せず）、要は例えば上下方向に沿って複数段で配置されるときの照明支持体４０相互間を電気的に接続させるよう着脱・接続等によって多灯構成を可能にしていれば足りる。また、基部片５８は、照明支持体４０自体におけるＬＥＤ照明モジュール１の点灯をＯＮ-ＯＦＦさせる例えばトグル式のスイッチ部材６２が配装固定されるようにしてある。
【００３８】
端部キャップ６５は、図例のように、連繋片５７、基部片５８それぞれに嵌る窪み６７が側壁に切欠形成されているほぼカップ状のキャップ本体６６に、照明支持体４０の背面側に延びるようにしたグリップ６７を設けて成り、このグリップ６７には溝あるいは突片を形成して放熱作用が高められるようにしておくことも可能である。
【００３９】
以上のように構成された照明支持体４０の自立スタンド７０の構成例を説明すると、図８、図９、図１１に示すように、三脚足状で移動可能にしてある脚体７１と、この脚体７１上に立設される支柱体７２と、支柱体７２に沿って上下動自在にして支柱体７２にネジ止め固定される固定部７４を後端に有し、照明支持体４０の背部をネジ止め連結する揺動自在な取付アーム台７５を前端に有する支持アーム体７３とを備えて成る。なお、取付アーム台７５は、支持アーム体７５の前端にハンドルの揺動操作でネジ止めされる基部７６の両側に相対峙状にして揺動自在な連結アーム７７を対状に配置し、この連結アーム７７端に、照明支持体４０における前記ナット収納溝４６に挿入されているナットにねじ入れられる取付ネジ７８を設けて成る。
【００４０】
また、図１２に示すように、複数の照明支持体４０を連繋アーム体８１によって上下に配置して支持させることもできる。そのための図示例にあっての連繋アーム体８１は、上下に配される照明支持体４０の背部に当接状にしてネジ止めされる取付片８３の両側に連結片８４を対峙状に設けて成るほぼコ字状の連結板８２と、照明支持体４０それぞれの背部に取り付けられた連結板８２相互を揺動自在に連結する一対の連結アーム板８５とから成り、連結板８２の連結片８４と連結アーム板８５とは例えばボルト・ナットによるネジ止め８６で揺動自在で、所定範囲内での揺動後で締結することによって固定保持できるようにしてある。
【符号の説明】
【００４１】
１…ＬＥＤ照明モジュール                ２…ＬＥＤ素子
３…コネクター
１０…照明支持体                        １１…固定架台プレート
１２…基板                              １３…区画壁片
１４…当接支持片                        １５…ネジ孔条溝
１６…収納筐体                          １７…電源
１８…電源ケース体                      １９…連結筒部
２１…連結固定体                        ２２…連結ネジ
２３…ネジ挿通孔                        ２４…連結孔条
２５…連結突起                          ２６…筐体キャップ
２７…ケーブル連結部                    ２８…キャップ固定ネジ
２９…ネジ挿通孔                        ３１…筐体キャップ
３２…スイッチ                          ３３…電源接続ユニット
４０…照明支持体                        ４１…固定架台プレート
４２…基板                              ４３…区画壁片
４４…両側板                            ４５…背側板
４６…ナット収納溝                      ４７…ねじ孔条溝
４８…カバー体                          ４９…係止手段
５１…電源                              ５２…電源ケース体
５５…端部体                            ５６…挟持部
５７…連繋片                            ５８…基部片
６１…電源接続手段                      ６２…スイッチ部材
６５…端部キャップ                      ６６…キャップ本体
６７…グリップ
７０…自立スタンド                      ７１…脚体
７２…支柱体                            ７３…支持アーム体
７４…固定部                            ７５…取付アーム台
７６…基部                              ７７…連結アーム
７８…取付ネジ
８１…連繋アーム体                      ８２…連結板
８３…取付片                            ８４…連結片
８５…連結アーム板                      ８６…ネジ止め
【要約】      （修正有）【課題】パネル型のＬＥＤ照明モジュールの組み合わせで必要光量を設定でき、電気的接続を維持しての単列、複列の配列構成で、構造的な単純化により組立構成を簡素にする。【解決手段】電気的に接続したパネル型の適数のＬＥＤ照明モジュール１を装着固定する固定架台プレート１１と、ＬＥＤ照明モジュール１における照射面側の側面が少なくとも透光性がある筒状で、ＬＥＤ照明モジュール１を覆って固定架台プレート１１を内装させている収納筐体１６と、固定架台プレート１１の背部に配される電源１７と、固定架台プレート１１、電源１７を収納筐体１６の端部内で連結支持する連結固定体２１と、連結固定体２１に連結固定させて収納筐体１６の端部開口を閉塞固定する筐体キャップ２６と、スイッチ３２を備えた筐体キャップ３１とから成る照明支持体１０とする。照明支持体１０は、電源接続ユニットによって接続することで、所定数が連結設置可能になる。【選択図】図１【図１】
0006023269.tif 000002
【図２】
0006023269.tif 000003
【図３】
0006023269.tif 000004
【図４】
0006023269.tif 000005
【図５】
0006023269.tif 000006
【図６】
0006023269.tif 000007
【図７】
0006023269.tif 000008
【図８】
0006023269.tif 000009
【図９】
0006023269.tif 000010
【図１０】
0006023269.tif 000011
【図１１】
0006023269.tif 000012
【図１２】
0006023269.tif 000013